(57)【要約】      （修正有）【課題】通電ができない環境であっても温室カーテン用原動機の電磁ブレーキを装置外部から手動で解除することにより減速機構を駆動してカーテンの開閉を可能とする開閉方法を提供する。【解決手段】装置本体１が、通電不可状況下において原動機５の稼働ができないときに、減速機構２に連なる本体外壁に設けた多角形突出部４に電動回し具７をあてがって回動する。それにより原動機の電磁ブレーキ６を解除し、以て減速機構を動かしてカーテン回動軸８を駆動することができる。【選択図】図１
2018023350.tif 000002
【特許請求の範囲】
【請求項１】
電磁ブレーキ付き原動機を備え且つ減速機構を内蔵してなる装置本体が、通電不可状況下において原動機の稼働ができないときに、減速機構に連なる本体外壁に設けた多角形突出部に電動回し具をあてがって回動し、以て前記原動機の電磁ブレーキを解除し、それにより減速機構を動かしてカーテン回動軸を駆動することを特徴とする停電時対応温室カーテン開閉方法。
【発明の詳細な説明】
【技術分野】
【０００１】  本発明はカーテン開閉が停電時等の通電不可環境下であっても電磁ブレーキ付き原動機を有する開閉装置を駆動できる停電時対応温室カーテン開閉方法に関する。
【背景技術】
【０００２】  温室におけるカーテンの自動開閉装置は通常電磁ブレーキ付き原動機を用いて駆動するものであるが、その駆動には当然ながら原動機が通電可能となっていなければならない。すなわち温室建造当初に完全なかたちで原動機への通電がなされることに越したことはないものの、電気が通っていない未電源地であったり、カーテン開閉装置の工事が予定通り進捗したとしても最終作業段階で原動機を稼働できない環境等の場合に通電作業が追いつかないと開閉装置そのものが画竜点睛を欠く状態になるといった問題も起こりうる。また例え原動機が使用可能であっても落雷・地震等の不測の事態の発生により停電ともなれば、復旧するまでの間はカーテン開閉操作を続行できなくなるといった問題が生じ、ひいては温室内の温度調整ができなくなって植物育成に悪影響を及ぼすことにもなりかねない。【０００３】  手動によって温室シートの開閉を行う装置（例えば特許文献１参照）のような場合はともかく、モーターを用いる自動開閉装置（例えば特許文献２参照）では手動で原動機を回すことのできる機構は存在しないため通電不可若しくは停電状態下における温室カーテンを開閉できないといった不具合を解消する手立ては従来存在しなかった。
【先行技術文献】
【特許文献】
【０００４】
【特許文献１】実用新案登録第３１７８３１２号公報
【特許文献２】特開２００９−２９１１０２号公報
【発明の概要】
【発明が解決しようとする課題】
【０００５】  元々手動でカーテンシートを開閉する文献１に示されたような装置では停電等の影響を受けることはないが、温室の天井近傍等を覆う大がかりなカーテン装置には文献２に示されるとおり原動機を用いて自動開閉することは通常の手段であり、原動機を稼働する前提として当然ながら電気が通っていなければならないところ、前述したとおり未電源地であったり停電等の不測の事態下でのカーテン開閉はほゞ不可能となるのが実情といえる。【０００６】  本発明は上記のような不利不便を解消するための方法であって、停電等を原因とする通電ができない環境であっても温室カーテン原動機のブレーキを装置外部から手動で解除することにより減速機構を駆動してカーテンの開閉を可能とする温室カーテン開閉方法を提供することを目的としている。
【課題を解決するための手段】
【０００７】  すなわち本発明は、電磁ブレーキ付き原動機を備え且つ減速機構を内蔵してなる装置本体が、通電不可状況下において原動機の稼働ができないときに、減速機構に連なる本体外壁に設けた多角形突出部に電動回し具をあてがって回動し、以て前記原動機の電磁ブレーキを解除し、それにより減速機構を動かしてカーテン回動軸を駆動することを特徴とする停電時対応温室カーテン開閉方法を主旨とする。
【発明の効果】
【０００８】  電磁ブレーキ付き原動機では電源のない通電不可状況下又は停電時等では稼働することができないものであるが、本発明を使用した場合随時随所で減速機構を動かすことができるためカーテン開閉を遅滞なく続行でき、したがって植物育成に必要な温室内の採光・温度調整等を当初の予定通りに進めることができる。【０００９】  本発明では対象となる装置自体の内部減速機構は従来装置と何ら変わらず格別変更を必要としないため殆どのこの種開閉装置の開閉に妥当する。すなわち装置外壁に設けた多角形突出部に市販の電動回し具（ドライバー等）をあてがって回すのみの単純な操作のため熟練を要することなく緊急時必要時に誰もが取り扱いできる。
【図面の簡単な説明】
【００１０】
【図１】本発明を実施するための概略ブロック図である。
【発明を実施するための形態】
【００１１】  装置Ａは平歯車からなる減速機構２を内蔵した本体１と、電磁ブレーキ６を備えた原動機５で構成され、前記減速機構２は、原動機３の稼働で起動する駆動部３と連動するものであり、これらの構成は従来の開閉装置と特に変わることはないが、駆動部３を手操作で動かすことのできるように、駆動部３に後端を取り付けた多角形突出部４を本体２の外壁に設けていることを特徴としている。
【００１２】  本来原動機を備えたカーテン開閉装置は電源と連なる電磁ブレーキ付き原動機が通電することを前提としているため停電若しくは工事の順番によって通電が不可となることがあるとカーテン開閉を一旦中止するか断念せざるを得ないという事態の発生となる。そのようなときに温室内ですでに植物育成作業が進んでいるとそれらの作業にも多大な影響を及ぼすことにもなりかねないが、従来ではそれらの不備を速やかに解決することができなかった。
【００１３】  本発明の方法はこのようなときに減速機構２を手動で稼働できるようにした画期的な提案であり、装置自体に前記した多角形突出部４を設けることによって簡単迅速にカーテン開閉がなされるものといえる。そのために多角形突出部４を動かすための電動回し具７を用いて本体１内の駆動部３を動かすという手段をとるもので、電動回し具７は大工作業などで用いる市販のドライバーを準備するだけでよく格別面倒な手数もかからない。
【００１４】  すなわち電動回し具７によって多角形突出部４を回動すると駆動部３が稼働して減速機構２を動かし、該減速機構２と連繋した回動軸８が回転するため、回動軸に巻装したカーテン９の開閉が可能となる。電動回し具７により稼働する駆動部３の動きにより減速機構２の動きが活発かつ遅滞なく行われるためカーテン開閉に支障を生じることもなく、したがって植物育成栽培の進捗に悪影響を与えることも可及的避けられる。
【００１５】  要するに本方法では、多角形突出部４に合わせた形状の工具を用いて回動すれば必然的に多角形突出部４と連動する本体内の駆動部３及びそれに連なる減速機構２が稼働するとともに回動軸８の回転を促進してカーテン９の開閉を実現するものであって簡単なシステムながら従来では不可能であった通電不可状況下の開閉装置を駆動できるという点では、コロンブスの卵のような斬新且つ効果的な手法といえる。
【００１６】  なお本発明を実施するための装置は前記したように従来装置の駆動部３に多角形突出部４を本体外側に向けて取り付けるだけでの構成で済み、それ以外の部品点数を必要としないため安価に得られるという実益も合わせ具有する。
【符号の説明】
【００１７】  Ａ    装置
１    本体
２    減速機構
３    駆動部
４    多角形突出部
５    原動機
６    電磁ブレーキ
７    電動回し具
８    回動軸
９    カーテン
【図１】
2018023350.tif 000003